(57)【要約】【課題】  少ないスペースで配置できなおかつ連続して運連可能な循環式トイレシステムおよび循環システムを提供する。【解決手段】  便器１１とロータンク１２とから構成された水洗トイレシステムは、攪拌槽２０と、薬液添加槽３０と、第１、第２の固液分離槽４０、５０と脱水槽６０と、水処理槽７０と固体処理槽８０とから構成される。第１、第２の分離槽４０、５０で固液分離された水は水処理槽７０で処理されてロータンク１２に戻される。分離された固体は固体処理槽８０で処理されて廃棄される。【選択図】図１
2011069177.tif 000002
【特許請求の範囲】
【請求項１】
便器と前記便器に水を供給するためのロータンクとから構成されたトイレシステムと、
前記便器からのし尿と、紙と、水との混合物を固液分離し、固液分離した液体を水処理して、前記ロータンクに戻して循環再利用する循環式トイレシステムであって、
前記便器からの混合物を攪拌するための攪拌槽と、
前記攪拌槽からの混合物に分離剤を添加するための第１の計量添加手段と、混合物を圧送するためのポンプとを有する薬液添加槽と、
前記薬液添加槽からの混合物にさらに分離剤を添加するための第２の計量添加手段と、前記混合物を固体成分と液体成分とに固液分離するメッシュ状の第１の固液分離手段とを有する第１の固液分離槽と、
前記第１の固液分離槽からの液体をさらに固体成分と液体成分とに固液分離するメッシュ状の第２の固液分離手段を有する第２の分離槽と、
前記第２の固液分離槽からの液体に殺菌剤を添加して水処理するとともに前記処理した水を前記ロータンクに戻す流路を有している水処理槽と、
前記第１と第２の固液分離槽とからの固体成分から水分を除去し、前記除去した水分を前記第１の分離槽に戻す脱水槽と、
前記脱水槽からの固体を処理するための固体処理槽と、
から構成されていることを特徴とする循環式トイレシステム。
【請求項２】
前記第１および第２の固液分離手段が、各々前記前記第１および第２の固液分離槽を上下に区切るメッシュ状の固液分離手段であって、第２の固液分離手段は、前記第１のメッシュ状固液分離手段よりも細かいメッシュを有することを特徴とする請求項１に記載の循環式トイレシステム。
【請求項３】
さらに、前記脱水槽からの固体を処理するための固体処理槽を有していることを特徴とする請求項１または請求項２に記載の循環式トイレ用の水循環システム。
【請求項４】
前記循環式トイレ用の固液分離／水処理装置は、前記ロータンクからの水洗スイッチと連動して動作することを特徴とする請求項１から請求項３のいずれか１項に記載の循環式トイレシステム。
【請求項５】
前記循環式トイレ用の固液分離／水処理装置は、複数の水洗トイレシステムと接続されていることを特徴とする請求項１から請求項４のいずれか１項に記載の循環式トイレシステム。
【請求項６】
前記脱水槽は、前記第１と前記第２の固液分離槽の間に配置されていることを特徴とする請求項１から請求項５のいずれか１項に記載の循環式トイレシステム。
【請求項７】
前記循環式トイレシステムは、仮設用トイレとして用いられることを特徴とする請求項１から請求項６のいずれか１項に記載の循環式トイレシステム。
【請求項８】
前記循環式トイレシステムは、移動手段に搭載されていることを特徴とする請求項１から請求項７のいずれか１項に記載の循環式トイレシステム。
【請求項９】
便器と前記便器に水を供給するためのロータンクとから構成されたトイレシステムと接続し、
前記便器からのし尿と、紙と、水との混合物を固液分離し、固液分離した液体を水処理して、前記ロータンクに戻して循環再利用する循環式トイレシステムを構成するための水循環システムであって、
前記便器からの混合物を攪拌するための攪拌槽と、
前記攪拌槽からの混合物に分離剤を添加するための第１の計量添加手段と、混合物を圧送するためのポンプとを有する薬液添別槽と、
前記薬液添加槽からの混合物にさらに分離剤を添加するための第２の計量添加手段と、前記混合物を固体成分と液体成分とに固液分離するメッシュ状の第１の固液分離手段とを有する第１の固液分離槽と、
前記第１の固液分離槽からの液体をさらに固体成分と液体成分とに固液分離するメッシュ状の第２の固液分離手段を有する第２の分離槽と、
前記第２の固液分離槽からの液体に殺菌剤を添加して水処理するとともに前記処理した水を前記ロータンクに戻す流路を有している水処理槽と、
前記第１と第２の固液分離槽とからの固体成分から水分を除去し、前記除去した水分を前記第１の分離槽に戻す脱水槽と、
から構成されていることを特徴とする水循環システム。
【請求項１０】
前記第１および第２の固液分離手段が、各々前記前記第１および第２の固液分離槽を上下に区切るメッシュ状の固液分離手段であって、第２の固液分離手段は、前記第１のメッシュ状固液分離手段よりも細かいメッシュを有することを特徴とする請求項９に記載の水循環システム。
【請求項１１】
さらに、前記脱水槽からの固体を処理するための固体処理槽を有していることを特徴とする請求項９または請求項１０に記載の水循環システム。
【請求項１２】
前記循環式トイレ用の固液分離／水処理装置は、前記ロータンクからの水洗スイッチと連動して動作することを特徴とする請求項９から請求項１１のいずれか１項に記載の水循環システム。
【請求項１３】
前記循環式トイレ用の固液分離／水処理装置は、複数の水洗トイレシステムと接続されていることを特徴とする請求項９から請求項１２のいずれか１項に記載の水循環システム。
【請求項１４】
前記脱水槽は、前記第１と前記第２の固液分離槽の間に配置されていることを特徴とする請求項９から請求項１３のいずれか１項に記載の水循環式システム。
【発明の詳細な説明】
【技術分野】
【０００１】  本発明は、循環式トイレシステムおよび循環システムに関する。より詳しく述べると水洗トイレ用便器と前記水洗トイレに水を供給するためのロータンクとから構成された、水洗トイレシステムにおける便器の排出口と、ロータンクの水供給口に接続し、便器からの排出物を固液分離し、固液分離した液体を水処理して前記ロータンクに戻す構成を有している循環式トイレおよび水洗トイレシステムに接続して循環式トイレシステムを構成するための水循環システムに関する。
【背景技術】
【０００２】  従来、下水道設備の普及していない地域の住居、公園、河川敷、山小屋等にトイレを設置した場合、通常その排泄物は固形分と液体分とが一緒にし尿収容槽に溜めて、し尿がある程度の量になるとバキュームカー等で回収して浄化設備を有している場所に移送し当該浄化設備を有している場所で処理していた。【０００３】  特許文献１は、このようなし尿の処理方法として、生物処理を行って、排泄物の固形分と液体とに分離し、分離した固形分はコンポスト化し、一方分離した水分は浄化処理を行ってリサイクルする方法が提案されている。【０００４】  し尿収容槽を利用する方法は、悪臭が発生し、これを使用する者に不快感を与える。また、し尿収容槽に溜められたし尿は液体と固体の両者であり、これを運搬する場合の運送費も高価である。また、微生物による浄化設備は、微生物は温度が低くなると働きが鈍くなり、浄化効率が悪くなるという欠点がある。微生物の管理は非常に微妙であり、予期せぬ出来事により微生物が浄化しないことも生じるおそれがある。【０００５】  このような現状を鑑みて、特許文献２では不安定な生物処理でなく安定した凝結剤による排泄物の固液分離を行い、分離した水をリサイクルするシステムが提案されている。特許文献２に記載のリサイクルシステムは、し尿を細かく砕く粉砕機と、細かく砕いたし尿と凝結剤とを攪拌する攪拌装置と、固液を分離する沈殿槽と、分離した液体を洗浄水として回収するポンプとで構成された水循環式のし尿処理装置から構成されている。【０００６】  特許文献２には、水洗とすることで悪臭が発生せず、し尿に含まれている水をリサイクルして洗浄水とすることで、水洗トイレで使用する水の量を少なくすることができる。またトイレを使用する者に不快感を与えないなどの効果が記載されている（特許文献２、段落０００７）。【０００７】
【先行技術文献】
【特許文献１】  特開平１１−１３１５５２号公報
【特許文献２】  特開２００８−２８４５０２号公報
【発明の開示】
【発明が解決しようとする課題】
【０００８】  しかしながら、本発明者等による実験によると、特許文献２に記載の水循環式のトイレシステムは、水洗トイレに流されるし尿と紙と水との混合物から短期間に固形分と水分とを分離することができず、期待される動作が確認できなかった。【０００９】  特に、特許文献２に記載の装置は、脱水槽としてヒータを利用するため、エネルギ的に問題があり、また例えば、イベント会場などの仮設トイレに用いる場合には連続して水を循環できず連続使用には耐えられないものであった。【００１０】  また、ヒータなどの加熱手段による脱水ではスペースも広くなり装置が大型化してしまうという欠点があった。【００１１】  さらに、特許文献２に記載の凝集剤では、固液分離が完全に行うことができず、また、複数台のトイレシステムを一つの循環システムで賄うことができなかった。【００１２】  したがって、本発明の課題は、少ないスペースで配置できなおかつ連続して運連可能な循環式トイレシステムおよび循環式トイレシステム用の水循環システムを提供することである。【００１３】  本発明の他の課題は、複数のトイレシステムを稼働できる循環式トイレシステムにおける水循環システムを提供することである。
【課題を解決するための手段】
【００１４】  上記課題を解決する本発明は、下記項目に関する。
（１）  便器と前記便器に水を供給するためのロータンクとから構成されたトイレシステムと、前記便器からのし尿と、紙と、水との混合物を固液分離し、固液分離した液体を水処理して、前記ロータンクに戻して循環再利用する循環式トイレシステムであって、前記便器からの混合物を攪拌するための攪拌槽と、前記攪拌槽からの混合物に分離剤を添加するための第１の計量添加手段と、混合物を圧送するためのポンプとを有する薬液添加槽と、前記薬液添加槽からの混合物にさらに分離剤を添加するための第２の計量添加手段と、前記混合物を固体成分と液体成分とに固液分離するメッシュ状の第１の固液分離手段とを有する第１の固液分離槽と、前記第１の固液分離槽からの液体をさらに固体成分と液体成分とに固液分離するメッシュ状の第２の固液分離手段を有する第２の分離槽と、前記第２の固液分離槽からの液体に殺菌剤を添加して水処理するとともに前記処理した水を前記ロータンクに戻す流路を有している水処理槽と、前記第１と第２の固液分離槽とからの固体成分から水分を除去し、前記除去した水分を前記第１の分離槽に戻す脱水槽と、前記脱水槽からの固体を処理するための固体処理槽と、から構成されていることを特徴とする循環式トイレシステム。【００１５】（２）  前記第１および第２の固液分離手段が、各々前記前記第１および第２の固液分離槽を上下に区切るメッシュ状の固液分離手段であって、第２の固液分離手段は、前記第１のメッシュ状固液分離手段よりも細かいメッシュを有することを特徴とする（１）に記載の循環式トイレシステム。【００１６】（３）  さらに、前記脱水槽からの固体を処理するための固体処理槽を有していることを特徴とする（１）または（２）に記載の循環式トイレ用の水循環システム。【００１７】（４）  前記循環式トイレ用の固液分離／水処理装置は、前記ロータンクからの水洗スイッチと連動して動作することを特徴とする（１）から（３）のいずれか１項に記載の循環式トイレシステム。【００１８】（５）  前記循環式トイレ用の固液分離／水処理装置は、複数の水洗トイレシステムと接続されていることを特徴とする（１）から（４）のいずれか１項に記載の循環式トイレシステム。【００１９】（６）  前記脱水槽は、前記第１と前記第２の固液分離槽の間に配置されていることを特徴とする（１）から（５）のいずれか１項に記載の循環式トイレシステム。【００２０】（７）  前記循環式トイレシステムは、仮設用トイレとして用いられることを特徴とする（１）から（６）のいずれか１項に記載の循環式トイレシステム。【００２１】（８）  前記循環式トイレシステムは、移動手段に搭載されていることを特徴とする（１）から（７）のいずれか１項に記載の循環式トイレシステム。【００２２】（９）  便器と前記便器に水を供給するためのロータンクとから構成されたトイレシステムと接続し、前記便器からのし尿と、紙と、水との混合物を固液分離し、固液分離した液体を水処理して、前記ロータンクに戻して循環再利用する循環式トイレシステムを構成するための水循環システムであって、前記便器からの混合物を攪拌するための攪拌槽と、前記攪拌槽からの混合物に分離剤を添加するための第１の計量添加手段と、混合物を圧送するためのポンプとを有する薬液添加槽と、前記薬液添加槽からの混合物にさらに分離剤を添加するための第２の計量添加手段と、前記混合物を固体成分と液体成分とに固液分離するメッシュ状の第１の固液分離手段とを有する第１の固液分離槽と、前記第１の固液分離槽からの液体をさらに固体成分と液体成分とに固液分離するメッシュ状の第２の固液分離手段を有する第２の分離槽と、前記第２の固液分離槽からの液体に殺菌剤を添加して水処理するとともに前記処理した水を前記ロータンクに戻す流路を有している水処理槽と、前記第１と第２の固液分離槽とからの固体成分から水分を除去し、前記除去した水分を前記第１の分離槽に戻す脱水槽と、から構成されていることを特徴とする水循環システム。【００２３】（１０）  前記第１および第２の固液分離手段が、各々前記前記第１および第２の固液分離槽を上下に区切るメッシュ状の固液分離手段であって、第２の固液分離手段は、前記第１のメッシュ状固液分離手段よりも細かいメッシュを有することを特徴とする（９）に記載の水循環システム。【００２４】（１１）  さらに、前記脱水槽からの固体を処理するための固体処理槽を有していることを特徴とする（９）または（１０）に記載の水循環システム。【００２５】（１２）  前記循環式トイレ用の固液分離／水処理装置は、前記ロータンクからの水洗スイッチと連動して動作することを特徴とする（９）から（１１）のいずれか１項に記載の水循環システム。【００２６】（１３）  前記循環式トイレ用の固液分離／水処理装置は、複数の水洗トイレシステムと接続されていることを特徴とする（９）から（１２）のいずれか１項に記載の水循環システム。【００２７】（１４）  前記脱水槽は、前記第１と前記第２の固液分離槽の間に配置されていることを特徴とする（９）から（１３）のいずれか１項に記載の水循環式システム。
【発明の効果】
【００２８】  本発明によると、省スペースで連続稼働可能な循環式トイレ用の水循環システムが提供される。この循環式トイレ用の水循環システムは、省スペースであり、なおかつ複数台の水洗トイレシステムに対応可能である。
【図面の簡単な説明】
【００２９】
【図１】  本発明の循環式トイレシステムの概略を示す図面である。
【図２】  図１に示す循環式トイレシステムの動作を示すフローチャートである。
【図３】  本発明の循環式トイレ用の水循環システムを複数台の水洗トイレシステムに適用した例を示す図面である。
【符号の説明】
【００３０】  １１  便器
１２  ロータンク
２０  撹拌槽
３０  薬液添加槽
４０、５０  固液分離槽
６０  脱水槽
７０  水処理槽
８０  固体処理槽
９０  コントロールボックス
【発明を実施するための最良の形態】
【００３１】  以下、本発明の実施の形態を添付図面に基づいて説明する。
図１は、本発明の循環式トイレシステムの概略を示す図面であり、そして図２は、図１に示す循環式トイレシステムの動作を示すフローチャートである。まず、図１および図２に基づいて、本発明の循環式トイレシステムを説明する。【００３２】  図１および図２に示す通り、本発明の循環式トイレシステムは、水洗トイレ用便器１１と便器１１に水を供給するためのロータンク１２とから構成された、水洗トイレシステムと、水洗トイレシステムにおける便器１１の排出口とロータンク１２と接続された水循環システムとから主として構成される。水循環システムは、便器１１から排出された混合物（し尿、紙、水等の混合物）を固体成分と液体成分とに固液分離した後に液体成分である水を処理してロータンク１２に戻す構成を有している。そして、水循環システムは、固液分離した固体成分を適正な固体処理を行って貯蔵し、所定量の固体成分が溜まった際に回収処理される。回収された固体成分は、一般に廃棄されるが、コンポスト等へ利用することも可能である。【００３３】  図１に示す通り、水循環システムは、攪拌槽２０、薬液添加槽３０、第１の分離槽４０、第２の分離槽５０、脱水槽６０、水処理槽７０、固体処理槽８０とから主として構成され、コントロールボックス９０により駆動制御されている。フロートスイッチ１２ａは、ロータンク１２内の水位に基づいて便器１１への水の開閉弁（図示せず）や水供給源（本発明の場合には水処理槽７０）から供給される水の開閉弁（図示せず）を制御するスイッチである。【００３４】  本発明の好ましい実施形態では、コントロールボックス９０は、ロータンク１２のフロートスイッチ１２ａと連動して水循環システムの２の駆動制御を行っている。【００３５】  すなわち、まず使用者は、し尿の種類に応じて水洗スイッチ（大または小）を操作してロータンク１２から便器に水を流すと、ロータンク１２からの便器１１への水の供給が終了後、流した水の量に応じて水処理槽７０からロータンクに水が供給される。そして、水位センサの機能を有するフロートスイッチは、所定量の水がロータンク１２に供給されると水の供給をストップさせる（図２参照）。そのため、本発明では、フロートスイッチ１２ａと連動させて各装置の駆動制御を行うのが便利である。【００３６】  水循環システム２を構成する攪拌槽２０は、便器１１と流路Ｌ１を介して接続され、攪拌処理した混合物を薬液添加槽３０側へ送る流路を有するタンクであり、便器１１からのし尿混合物を十分に攪拌するための攪拌機２１を有するステンレス製のタンクである。この攪拌機２１は、コントロールボックス９０により駆動制御される。【００３７】  攪拌槽２０は、し尿混合物を所定時間（例えば、数秒）攪拌処理することにより、固形分（糞や紙）と水分とを均一に混合する槽である。すなわち、攪拌槽２０において、便器１１からの混合物を流動性のよいスラリとする。本発明において使用する攪拌機２１は、本発明の目的・効果を奏するものであれば特に限定されるものではないが、一般にコントロールボックスにより駆動制御されるモータによりシャフトを介して回転する羽根により混合物を回転する構成を有している。【００３８】  攪拌槽２０で均一に混合されたす混���物（流動性の高いスラリ）は、次いで薬液添加槽３０へと送られる。薬液添加槽３０は、攪拌槽２０からのスラリに分離剤を添加した後に次の槽である第１の固液分離槽４０へ送るための槽であり、一般にはステンレス製である。薬液添加槽３０は、攪拌槽２０と下側で接続するための流路Ｌ２と分離剤を計量添加するための計量添加手段３１と分離剤が添加された混合物を流路Ｌ３を介して第１の分離槽４０へ圧送するためのポンプＰ１と脱水槽７０からの水分を流す流路Ｌ４とから主として構成されている。【００３９】  分離剤（一般には粉末状の分離剤）を添加するための計量添加手段３１は、コントロールボックス９０により駆動制御され、例えば攪拌機２１で所定時間攪拌処理を終了し、薬液添加槽３０内に混合物が流入した際に、所定量の分離剤を混合物に添加する従来公知の計量添加手段である。【００４０】  本発明では、例えば固形糊成分、硫酸バンド、ケイ酸ソーダ、ゼオライト、硫酸カルシウム、珪藻土、活性白土、消石灰、石炭、骨粉などの粉末混合物を分離剤として使用するが、このような粉末の分離剤をホッパーなどに注入し、ホッパーから所定時間投下することによって所定量の分離剤を薬液添加槽３０内に添加する。【００４１】  分離剤が添加された混合物（流動性のあるスラリ）は、次いでポンプＰ１により第１の分離槽４０の上方（固液分離手段４２で上下方向に区切られた上側）に圧送される。第１の固液分離槽４０は、薬液添加槽３０と同一または異なる分離剤を計量添加するための計量添加手段４１、薬液添加槽３０からの混合物を水分と固形分とに固液分離するための第１の固液分離手段４２を有するステンレス製のタンクであり、薬液添加槽３０（流路Ｌ３、Ｌ４）、第２の分離槽５０（流路Ｌ５）、脱水槽６０（流路Ｌ６）を介して接続されている。【００４２】  第１の分離槽４０では、分離剤を計量添加するための計量添加手段４１により薬液添加槽３０と同様にして分離剤が添加され、分離剤が添加された混合物を第１の固液分離手段４２により固体と液体とに分離する。【００４３】  第１の固液分離手段４２は、一般にメッシュ状の固液分離手段（例えば５０メッシュ）であり、後述する第２の固液分離手段５１よりも粗いメッシュから構成されている。そして、薬液添加槽２０から第１の固液分離槽４０に圧送され、計量添加手段４１により分離剤がさらに添加されたスラリがメッシュ状の第１の分離手段４２で区切られた第１の分離槽４０の上側の部屋でスラリの自重によりメッシュ状の第１の分離手段４２を介して液状成分が有意に下方へと移行する。【００４３】  このように（第２の固液分離槽５０における第２のメッシュ状固液分離手段５１と比較して）目の粗い第１のメッシュ状の固液分離手段４２を用いることにより、スラリ状の混合物を非常に迅速に固体成分と液体成分とに分離できる。【００４４】  第１のメッシュ状の固液分離手段４２により分離された液体は流路Ｌ５を介して第２の分離槽５０へ送られるとともに、固液分離手段４２により分離された固体は流路Ｌ６を介して脱水槽６０に送られる（図２参照）。【００４５】  この際の流路Ｌ６は、第１の固液分離槽４０を上方として、脱水槽６０と傾斜が設けられていることが好ましい。このように傾斜を設けることによって、第１の分離手段４２で区切られた第１の分離槽４０の上側の部屋に滞留するスラリは、流路Ｌ６の傾斜を通って脱水槽６０へと移行する。【００４６】  第２の固液分離槽５０は、第１の分離槽４０からの液体をさらに水分と固形分とに固液分離するための第２のメッシュ状の固液分離手段５１を有するステンレス製のタンクであり、第１の分離槽４０と流路Ｌ５を介して、脱水槽６０と流路Ｌ７を介して、水処理槽７０と流路Ｌ８を介して、そしてロータンク１２側に流路Ｌ９を介して各々接続されている。【００４７】  第１の固液分離槽４０からの液体は、流路Ｌ５を介して第２の固液分離槽５０の上方側（第２の固液分離手段を介して区切られた上側の部屋）へと送られ、そして、ここでさらに第２の固液分離手段により固体成分と液体成分へと分離される。【００４８】  すなわち、第１のメッシュ状の固液分離手段４２により分離された液体にはまだ固体成分がかなり残存しており、この固体成分を第１のメッシュ状の固液分離手段４２のメッシュより細かいメッシュ（例えば１００メッシュ）を有している。【００４９】  このように第１および第２の分離槽４０、５０により固体成分と液体成分とを分離することにより実質的に完全に固体と液体とを分離することが可能である。しかも、スラリ状の混合物を２つの粗さの異なるメッシュ状の固液分離手段４２、５１により固液分離するので迅速に固液分離を行うことが可能である。そのため、多数の使用者が頻繁に使用するような例えばエベント会場の仮設トイレに本発明の循環式トイレシステムを使用しても対応可能な程度で固液分離を行うことが可能である。【００５０】  しかしながら、本発明はメッシュ状の固液分離手段を有する固液分離槽の数に限定されるものではなく、第３、第４などより多くの分離槽を有していても本発明の範囲内である。また、一つの固液分離槽４０または５０に複数のメッシュ状の固液分離手段を設けることも本発明の範囲内である。【００５１】  第１および第２の固液分離槽４０、５０から分離された固体成分は、第１の固液分離槽４０と同様に、傾斜が設けられた流路Ｌ７を通り脱水槽６０へと移され、脱水槽６０により脱水処理された後に、固体処理槽８０で最終処理されて廃棄に供せられる。脱水槽６０において脱水処理された際に生じた水分は、流路Ｌ４を介して再び第１の処理槽４０に戻され固液分離処理される。【００５２】  このように、第１および第２の固液分離槽４０、５０の間に脱水槽６０を配置することにより省スペースで効率的な脱水処理を実施することが可能となる。【００５３】  固体処理槽８０は、脱水槽６０からの固体を処理する槽であり、この固体処理槽８０には凝固剤を添加するための計量添加手段８１が設けられている。そして、固体処理槽８０で凝固処理した固体成分は、所望に応じて設けられた貯蔵槽（図示せず）に貯蔵される。【００５４】  一方、第２の分離槽５０で分離された液体成分は、次いで水処理槽７０に送られ定法に従い、例えば塩素系の殺菌剤で水処理される。【００５５】  このようにして水処理された水は、ロータンク１２の水の供給源として循環利用できる。なお、し尿などにより増加した水分は流路Ｌ１１オーバーブ���ーさせて放流する。【００５６】  このように、攪拌槽２０、薬液添加槽３０、第１の分離槽４０、第２の分離槽５０、脱水槽６０、水処理槽７０、固体処理槽８０から構成されコントロールボックス９０により制御された本発明の循環式水洗トイレシステムは、少ないスペースで効率よく固液分離を行い。また、分離した水を定法に従って処理することによって、処理後の水をロータンク用の水の供給源として循環再使用可能である。【００５７】  したがって、このような本発明の循環式水洗トイレシステムは、イベントなどの仮設トイレや災害用の仮設トイレとして有効に適用可能である。【００５８】  しかも、非常にコンパクトに設計可能であり、コントロールボックスにより駆動制御されているので、車両や船舶に搭載しこれらの動力源により稼働する移動式のトイレシステムとして適用可能である。【００５９】  このような本発明の循環式水洗トイレシステムは、既存の便器およびロータンクからなる水洗トイレに取り付けることにより循環式水洗トイレシステムを構築することが可能である。【００６０】  したがって、本発明は、既存の便器およびロータンクからなる水洗トイレに取り付けることにより循環式水洗トイレシステムを構築するための水処理システムに関する。【００６１】  また、本発明の循環式トイレシステムは、図３に示す通り１つの水処理システムで複数の水洗トイレシステムに対応可能である。すなわち、攪拌槽２０、薬液添加槽３０、第１の分離槽４０、第２の分離槽５０、脱水槽６０、水処理槽７０、固体処理槽８０とから主として構成された水循環システムを複数のトイレシステムと共用して使用することが可能である。
【図１】
2011069177.tif 000003
【図２】
2011069177.tif 000004
【図３】
2011069177.tif 000005